(57)【特許請求の範囲】
【請求項１】
車体を曲線路の遠心方向逆側に傾斜可能な振り子式台車を備えた鉄道車両の車体傾斜制御装置において、
シリンダの伸縮動作によって前記車体の傾斜角度を制御するアクチュエータと、
前記シリンダによる伸縮動作の変位量を検出する変位センサと、
前記シリンダによる伸縮動作の変位目標値に基づき加速度目標値を求める加速度目標値算出手段と、
前記変位センサの検出結果に基づき前記シリンダによる伸縮動作の実加速度を求める実加速度算出手段と、
前記加速度目標値算出手段と前記実加速度算出手段との算出結果に基づき加速度のフィードバック制御量を算出する加速度フィードバック制御量算出手段と、
前記変位センサの検出結果と前記変位目標値とに基づき変位フィードバック制御量を算出する変位フィードバック制御量算出手段とを備え、
前記加速度フィードバック制御量算出手段と前記変位フィードバック制御量算出手段との各算出結果に基づき前記シリンダの伸縮動作を制御するサーボ弁を制御することを特徴とする鉄道車両の車体傾斜制御装置。
【請求項２】
前記実加速度算出手段と前記加速度フィードバック制御量算出手段との間に、車体の傾斜制御に必要な周波数帯よりも高い周波数帯の信号を減衰させるローパスフィルタを備えることを特徴とする請求項１に記載の鉄道車両の車体傾斜制御装置。
【請求項３】
前記ローパスフィルタは、１Ｈｚ以上の信号を減衰させることを特徴とする請求項２に記載の鉄道車両の車体傾斜制御装置。
【請求項４】
前記実加速度算出手段、および、前記加速度目標値算出手段は、それぞれ２つの微分器より構成されることを特徴とする請求項１乃至３の何れか一項に記載の鉄道車両の車体傾斜制御装置。
【発明の詳細な説明】
【技術分野】
【０００１】
この発明は、鉄道車両の車体傾斜制御装置に関するものである。
【背景技術】
【０００２】
従来、鉄道車両にあっては、カーブなどにおいて遠心方向と逆に車体を傾斜させる振り子はり式の台車を備えたものが知られている。この振り子はり式の台車を備えた車両としては、空気圧によるアクチュエータを用いて、車体の傾斜をアクティブ制御するいわゆる制御付き振り子車両がある（例えば、特許文献１参照）。
上述した制御付き振り子車両は、台車枠と振り子はりとの間にアクチュエータが設置され、このアクチュエータのシリンダロッドを外部からの制御指令に基づき伸縮させることで車体の傾斜角度を制御している（例えば、特許文献２参照）。アクチュエータは、例えば、シリンダロッドの伸縮を変位量として検知する変位センサを有しており、アクチュエータの傾斜制御としては、変位センサの検知結果と変位指令値（車体傾斜角度の目標値）との偏差に比例した制御量とされる変位フィードバック制御が用いられる。
【先行技術文献】
【特許文献】
【０００３】
【特許文献１】特公平２−０６２４２１号公報
【特許文献２】特許第４５８２８９７号公報
【発明の概要】
【発明が解決しようとする課題】
【０００４】
ところで、上述した空気圧によるアクチュエータは、一般に車体傾斜角度の目標値に対しての応答性があまりよくなく発生力も十分とは言えない。この応答性や発生力を向上するためには、変位フィードバックゲインを増したり、サーボ弁からの供給流量を大きくするなどの方法が考えられる。しかしながら、上述した方法によりアクチュエータの応答性を向上しようとした場合、空気の圧縮性によって制御が不安定になりやすいという課題がある。
一般に、アクチュエータの制御性安定化には、アクチュエータの変位量によるフィードバック制御に加えて、速度、及び加速度のフィードバック制御を付加することが有効とされ、特に空気圧によるものでは、加速度フィードバック制御が有効とされる。しかしながら、鉄道車両の車体傾斜角の制御のように、比較的ゆっくりとした動作の場合、その加速度の情報を加速度センサから直接的に得ることは難しく、加速度とほぼ等価となるアクチュエータの空気圧力を用いた圧力フィードバック制御で代用することが多い。
しかしながら、空気圧力を用いる場合には、その圧力を測定する圧力センサが別途必要になり、センサ数の増加による信頼性やコスト面で不利となる。
【０００５】
この発明は、上記事情に鑑みてなされたものであり、部品点数の増加を防止しつつ、アクチュエータの応答性を向上し、さらに、制御安定性を確保することが可能な車体傾斜制御装置を提供するものである。
【課題を解決するための手段】
【０００６】
上記の課題を解決するために、請求項１に記載した発明は、車体を曲線路の遠心方向逆側に傾斜可能な振り子式台車を備えた鉄道車両の車体傾斜制御装置において、シリンダの伸縮動作によって前記車体の傾斜角度を制御するアクチュエータと、前記シリンダによる伸縮動作の変位量を検出する変位センサと、前記シリンダによる伸縮動作の変位目標値に基づき加速度目標値を求める加速度目標値算出手段と、前記変位センサの検出結果に基づき前記シリンダによる伸縮動作の実加速度を求める実加速度算出手段と、前記加速度目標値算出手段と前記実加速度算出手段との算出結果に基づき加速度のフィードバック制御量を算出する加速度フィードバック制御量算出手段と、前記変位センサの検出結果と前記変位目標値とに基づき変位フィードバック制御量を算出する変位フィードバック制御量算出手段とを備え、前記加速度フィードバック制御量算出手段と前記変位フィードバック制御量算出手段との各算出結果に基づき前記シリンダの伸縮動作を制御するサーボ弁を制御することを特徴としている。
【０００７】
請求項２に記載した発明は、請求項１に記載の発明において、前記実加速度算出手段と前記加速度フィードバック制御量算出手段との間に、車体の傾斜制御に必要な周波数帯よりも高い周波数帯の信号を減衰させるローパスフィルタを備えることを特徴としている。
【０００８】
請求項３に記載した発明は、請求項２に記載の発明において、前記ローパスフィルタは、１Ｈｚ以上の信号を減衰させることを特徴としている。
【０００９】
請求項４に記載した発明は、請求項１乃至３の何れか一項に記載の発明において、前記実加速度算出手段、および、前記加速度目標値算出手段は、それぞれ２つの微分器より構成されることを特徴としている。
【発明の効果】
【００１０】
請求項１に記載した発明によれば、変位センサの検出結果に基づき実加速度を求めることができるとともに、変位目標値に基づき加速度目標値を求めることができるため、アクチュエータの変位量によるフィードバック制御に加えて、シリンダ伸縮の加速度によるフィードバック制御を行い、この加速度によるフィードバック制御量と変位量によるフィードバック制御量とにより、サーボ弁の駆動制御を行うことができる。したがって、圧力センサを別途設ける場合と比較して部品点数を低減しつつ、アクチュエータの応答性を向上し、さらに、制御安定性を確保することができる効果がある。
【００１１】
請求項２に記載した発明によれば、請求項１の効果に加え、実測による変位センサの検出信号に含まれる車体の傾斜制御に不必要な成分をローパスフィルタによって減衰させることができるため、更なる制御安定性の向上を図ることができる効果がある。
【００１２】
請求項３に記載した発明によれば、請求項２の効果に加え、とりわけ線路の平行度のばらつきにより生じる車体の横揺れに起因する動揺（１Ｈｚ超）が変位センサの検出信号に重畳されたとしても、この動揺をローパスフィルタにより確実に減衰させて、車体の傾斜制御に必要な周波数（例えば０．３Ｈｚ程度）の信号のみをフィードバック制御に用いることができるため、更なる制御安定性の向上を図ることができる効果がある。
【００１３】
請求項４に記載した発明によれば、請求項１乃至３の何れか一項の効果に加え、変位センサの検出信号を簡単な構成で加速度信号に変換することができる効果がある。
【図面の簡単な説明】
【００１４】
【図１】本発明の実施形態における車体傾斜制御装置が搭載される鉄道車両の概略構成図である。
【図２】上記車体傾斜制御装置におけるフィードバック制御系を示すブロック図である。
【図３】上記車体傾斜制御装置におけるアクチュエータの変位量のグラフである。
【発明を実施するための形態】
【００１５】
次に、この発明の実施形態における車体傾斜制御装置について図面を参照しながら説明する。
図１は、この実施形態の車体傾斜制御装置が搭載される車両１０の振り子構造を示している。この車両１０の台車１１は、レールＲの幅方向に延びる車軸１２に略円盤状の２枚の車輪１３，１３が圧入された一対の輪軸１４（図１中、一方のみを示す）が互いの車軸１２を前後平行に配置して備える。
車軸１２の左右端部は、図示しない軸受けにより回動自在に支持され、これら軸受けを備える支持部（図示せず）に、軸バネ１５を介して台車枠１６が支持されている。台車枠１６の上面の左右縁部近傍には、レール長手方向に回転軸が向く一対のころ装置１７が回転自在に軸支されている。
【００１６】
ころ装置１７上には、正面からみて略弧状の下面１８を有した振り子はり１９が載置される。振り子はり１９は、その下面１８が一対のころ装置１７の各ころ部材１７ａにそれぞれ当接するように載置され、ころ部材１７ａの回動により、ころ装置１７上でレール幅方向に沿って揺動可能とされる。
振り子はり１９は略平滑な上面２０を備えており、この上面２０に、左右一対の空気ばね２１，２１を介して車体２２が支持されている。なお、車体２２の進行方向前後部それぞれが台車１１により支持される。つまり、振り子はり１９が揺動することで、振り子はり１９に支持される車体２２が左右に傾斜される。なお、図１においては、カーブ路の遠心方向を白抜き矢印で示しており、カーブ内側すなわちカント角がつけられたカーブ路の内側に車体２２が傾斜された一例を示している。
【００１７】
振り子はり１９には、車体２２の傾動を制御する車体傾斜制御用アクチュエータ３０が取り付けられている。この車体傾斜制御用アクチュエータ３０は、車載されたコンプレッサ等から圧送される空気圧により作動するシリンダ３１を有している。車体傾斜制御用アクチュエータ３０は、作動流体である空気の流量を制御するサーボ弁４５（図２参照）を有しており、このサーボ弁４５による空気量（空気圧）の制御によりシリンダ３１によるロッド３２の突き出し量が変化される。
【００１８】
シリンダ３１の本体部３１ａは台車枠１６に取付られる一方、ロッド３２の端部は振り子はり１９に取付られている。これにより、ロッド３２の突き出し量の変化（以下、変位量という）に応じて、振り子はり１９の揺動角度が変化するとともに車体２２の傾斜向き、ならびに車体２２の傾斜角度が変化するようになっている。
【００１９】
ここで、ロッド３２の変位量目標値は、例えば、予め記憶された走行区間の曲線データおよび車両が受信したＡＴＳ信号の情報に基づく自車位置情報の検知結果などを用いて最適な車体傾斜角度に対応したシリンダ３１のロッド変位量をテーブル検索又はマップ検索することで求められる。なお、図１中、符号「ｂ」は車体重心、符号「ｃ」は振り子中心を示している。
【００２０】
図２は、上述した車体傾斜制御用アクチュエータ３０のフィードバック制御系４０を示している。
図２に示すように、フィードバック制御系４０は、変位フィードバック系４１と加速度フィードバック系４２とを備えており、上述した変位量目標値は、変位フィードバック系４１と加速度フィードバック系４２とにそれぞれ入力される。
【００２１】
変位フィードバック系４１は、入力された変位目標値と、シリンダ３１の変位センサＳにより検出される検出結果（実変位）との偏差を求める第１減算器４３を備えている。この第１減算器４３により求められた偏差は、変位フィードバック制御量算出手段４４に入力される。
【００２２】
変位フィードバック制御量算出手段４４は、第１減算器４３により求められた偏差に比例したサーボ弁４５の駆動制御量（電流量）を求めて、変位フィードバック制御量として加算器４６へ向けて出力する。
【００２３】
一方、加速度フィードバック系４２は、シリンダ３１の応答性を向上するために、ロッド３２が変位する際の加速度に基づきサーボ弁４５のフィードバック制御量を求める。
加速度フィードバック系４２は、変位目標値を２回微分する第１微分器５１と第２微分器５２とを備え、この第１微分器５１と第２微分器５２との２回微分によって変位目標値が加速度（換言すれば加速度目標値）に変換される。これら第１微分器５１と第２部分器５２とにより加速度目標値算出手段が構成される。
【００２４】
また、加速度フィードバック系４２は、シリンダ３１の変位センサＳによる検出結果（実変位）を２回微分する第３微分器５３と第４微分器５４とを備えており、これら第３微分器５３と第４微分器５３との２回微分によって変位センサＳによる実変位が加速度（換言すれば実加速度）に変換される。これら第３微分器５３と第４微分器とにより実加速度算出手段が構成される。
【００２５】
加速度フィードバック系４２は、さらに、加速度目標値と実加速度との偏差を求める第２減算器５５を備え、この第２減算器５５により求められた偏差が、加速度フィードバック制御量算出手段５６に入力される。
加速度フィードバック制御量算出手段５６は、加速度目標値と実加速度との偏差に比例したサーボ弁４５の駆動制御量を求めて加速度フィードバック制御量として加算器４６へ出力する。この加速度フィードバック制御量算出手段５６より出力される加速度フィードバック制御量は、比例制御による応答性を改善するべく変位フィードバック制御量による制御量（換言すれば、サーボ弁の駆動制御量）を増減する補正値である。
【００２６】
加算器４６は、上述した変位フィードバック制御量と、加速度フィードバック制御量とを加算して、この加算されたフィードバック制御量をサーボ弁４５に出力する。
サーボ弁４５は、加算器４６より出力されたフィードバック制御量に従ってシリンダ３１内の空気量を制御してロッド３２を伸縮させる。
【００２７】
ところで、第４微分器５４と第２減算器５５との間には、所定の遮断周波数よりも高い周波数成分が通らないように減衰させるローパスフィルタ５７が設けられている。より具体的には、ローパスフィルタ５７は、車体の傾斜制御に必要な周波数成分（例えば０．３Ｈｚ程度）のみを通過させ、とりわけ、線路の平行度のばらつきにより生じる車体の横揺れに起因する動揺（１Ｈｚ超）を減衰させる。所定の遮断周波数としては、車体の傾斜制御に必要な周波数成分を確実に通過させるとともに、線路の平行度のばらつきにより生じる車体の横揺れに起因する動揺を除去するために１Ｈｚとするのが好ましい。
つまり、第４微分器５４から出力された実加速度の信号は、ローパスフィルタ５７によって遮断周波数よりも高い周波数帯の信号が減衰された後に、上述した第２減算器５５に入力されることとなる。
【００２８】
図３は、縦軸をアクチュエータの変位量、横軸を時間とし、それぞれ変位量の目標値（図３中、破線で示す）と、加速度による補正を行う本実施形態の車体傾斜制御装置による実際の変位量（図３中、太実線で示す）を示している。なお、図３中、細線で示すのは、応答性を上げるために単に変位フィードバックゲインを増加させ、加速度による補正を行わない場合の変位量を示している。
図３に示すように、加速度による補正を行わない場合の変位量は、変位目標値の波形と比較して波打った波形となっており、不安定になっている。
これに対して、本実施形態の車体制御装置による変位量は、変位目標値に対して若干の遅れは生じているものの、略追従しており、出力ならびに応答性が改善されている。
【００２９】
したがって、上述した実施形態の車体傾斜制御装置によれば、車体傾斜制御用アクチュエータ３０のロッド３２の変位量によるフィードバック制御に加えて、車体傾斜制御用アクチュエータ３０のロッド３２が変位する加速度によるフィードバック制御を行い、その加速度フィードバック制御量を用いて、ロッド３２の変位量による変位フィードバック制御量を補正してサーボ弁４５の制御を行うことができるため、車体傾斜制御用アクチュエータ３０の応答性を向上することができ、この結果、圧力センサを別途設ける場合と比較して部品点数を低減しつつ、制御安定性を確保することができる。
【００３０】
さらに、実測による変位センサＳの検出信号に含まれる車体２２の傾斜制御に不必要な周波数成分をローパスフィルタ５７によって減衰させることができるため、更なる制御安定性の向上を図ることができる。とりわけ、レールＲの平行度のばらつきにより生じる車体２２の横揺れに起因する動揺（１Ｈｚ超）が変位センサＳにより検出されたとしても、この動揺をローパスフィルタ５７により確実に減衰させて、車体２２の傾斜制御に必要な周波数（例えば０．３Ｈｚ程度）の信号のみをフィードバック制御に用いることができる。
また、第１微分器５１および第２微分器５２による２回微分、ならびに第３微分器５３および第４微分器５４による２回微分により変位量を加速度に変換することができるため、簡単な構成で、目標変位量から目標加速度を求め、変位センサＳの検出信号から実加速度を求めることができる。
【００３１】
なお、この発明は上述した実施形態の構成に限られるものではなく、その要旨を逸脱しない範囲で設計変更可能である。
例えば、上述した実施形態では、第４微分器５４と第２減算器５５との間にローパスフィルタ５７を設ける場合を一例に説明したが、シリンダ３１の変位センサと第３微分器５３との間に、レールＲの平行度のばらつきに起因する動揺を除去するためのローパスフィルタを設けるようにしても良い。
また同様に、シリンダ３１の変位センサＳと第１減算器４３との間にローパスフィルタを設けるようにしてもよい。
【符号の説明】
【００３２】
３０  車体傾斜制御用アクチュエータ（アクチュエータ）
４４  変位フィードバック制御量算出手段
４５  サーボ弁
５１  第１微分器（実加速度算出手段）
５２  第２微分器（実加速度算出手段）
５３  第３微分器（加速度目標値算出手段）
５４  第４微分器（加速度目標値算出手段）
５６  加速度フィードバック制御量算出手段
５７  ローパスフィルタ
Ｓ  変位センサ
【図１】
0005616856.tif 000002
【図２】
0005616856.tif 000003
【図３】
0005616856.tif 000004